(57)【特許請求の範囲】
【請求項１】
可動家具部（３）を移動させるための家具装備具（４）であって、
前記家具装備具（４）を少なくとも部分的に収容するハウジング（６）と、
前記可動家具部（３）を移動するための旋回式に取り付けられた調節アーム（５）と、
前記調節アーム（５）を駆動するための電気駆動装置と、
前記電気駆動装置に電力を供給するための電気線（７）と、を有し、
前記ハウジング（６）は、該ハウジング（６）の長軸（Ｌ）に沿って長さが可変となるように構成され、且つ、前記電気線（７）が前記ハウジング（６）の長軸方向に前記ハウジング（６）を通過することを特徴とする家具装備具（４）。
【請求項２】
前記ハウジング（６）の長さが調整式となっていることを特徴とする請求項１に記載の家具装備具（４）。
【請求項３】
相対的に移動可能な少なくとも２つのハウジング部（６ａ，６ｂ）を有していることを特徴とする請求項１または２に記載の家具装備具（４）。
【請求項４】
前記少なくとも２つのハウジング部（６ａ，６ｂ）は相対的に望遠鏡式に伸縮移動するように取り付けられていることを特徴とする請求項３に記載の家具装備具（４）。
【請求項５】
解除可能に相互固定される少なくとも２つのハウジング部（６ａ，６ｂ）を有していることを特徴とする請求項１に記載の家具装備具（４）。
【請求項６】
前記少なくとも２つのハウジング部（６ａ，６ｂ）は、好適には掛止連結具（１２）である少なくとも１つの解除可能な固定具によって相互連結可能であることを特徴とする請求項５に記載の家具装備具（４）。
【請求項７】
前記少なくとも２つのハウジング部（６ａ，６ｂ）は、好適には長手方向に沿って互いに整列していることを特徴とする請求項３から６のいずれか一項に記載の家具装備具（４）。
【請求項８】
前記少なくとも１つのハウジング部（６ａ，６ｂ）内には、電気線（７）を介して電力が供給される少なくとも１つの電力消費具が組み込まれていることを特徴とする請求項３から７のいずれか一項に記載の家具装備具（４）。
【請求項９】
前記家具装備具（４）は可動家具部（３）を動作させるための少なくとも１つの駆動装置を備えていることを特徴とする請求項１から８のいずれか一項に記載の家具装備具（４）。
【請求項１０】
前記駆動装置は、前記可動家具部（３）を可動とする少なくとも１つの電気モータを備えていることを特徴とする請求項９に記載の家具装備具（４）。
【請求項１１】
請求項１から１０のいずれか一項に記載の家具装備具（４）を備えた家具。
【請求項１２】
家具枠体（２）に取り付けられている状態で、ハウジング（６）は前記家具枠体（２）の奥行きの大部分で延びており、好適には家具（１）の後壁（８）にまで延伸していることを特徴とする請求項１１に記載の家具。
【発明の詳細な説明】
【技術分野】
【０００１】
本発明は家具装備具を少なくとも部分的に収容するハウジングに関する。
【背景技術】
【０００２】
本発明は以下で解説するハウジングを利用する家具装備具並びにそのような家具装備具を有した家具にも関する。
【０００３】
家具装備具（フィッティング又は金具）は、例えば照明装置及び／又は可動家具部を移動させる電動駆動装置のごとき電動構成要素を有することが多い。家具に取り付けられた状態のそれら構成要素に電力を供給するために電気線が家具に配線される。そのためには電気線は家具に特別な配慮で固定される必要がある。そのため家具構造の複雑性が増し、製造コストが増加する。加えて家具の外観が損なわれることが多い。
【発明の概要】
【発明が解決しようとする課題】
【０００４】
従って本発明の１目的は上記の弱点を克服した前述の一般的なハウジングの提供することにある。
【課題を解決するための手段】
【０００５】
本発明によれば、ハウジングの長手方向に長さを変えることができるようにハウジングを設計することで上記の目的は達成される。
【０００６】
本発明の基本的な思想は家具装備具のハウジングを電気線のためのケーブルガイドシステムとしても利用させることである。本発明の１実施形態によれば、少なくとも１つのモジュール式ハウジング部が家具装備具の主ハウジングに取り付けられる。ここでハウジング部によって囲まれている中空部は主ハウジングの囲まれた中空部と連通関係にあり、ケーブルシステムはモジュール式ハウジング部を通って主ハウジングの内部に進入できる。このように追加的な取り付け複雑性を増すことなく、また追加費用なく電力線及び／又は測定線あるいは制御線が家具に配線できる。さらに電気線は美観を向上させるように隠されている。その後に電気線は自由に引き込むことができる。
【０００７】
本発明の１好適実施形態ではハウジングは長さが調整できるように設計されている。この点でハウジングは相対的に移動可能な少なくとも２つの部分を有している。１実施形態では少なくとも２つのハウジング部が望遠鏡式に相対移動する。この場合には第１のハウジング部は家具に固定され、第２のハウジング部は第１のハウジング部に対して相対移動するように支持されている。
【０００８】
あるいはハウジングは相互に解放式に取り付けられた少なくとも２つのハウジング部を有することができる。この場合には異なる標準長及び／又は設定形状のモジュール式構成要素を使用できる。この点で、それら少なくとも２つのハウジング部が解除式固定具、好適には掛止連結で連結されることが望ましい。この掛止連結はスナップ式（例えば弾性材料またはバネで作用する掛止部）の形態でよく、それら少なくとも２つのハウジング部は工具を利用せずとも簡単に接続したり、外したりできるようにすることができる。
【０００９】
美観のために、それら少なくとも２つのハウジング部は相互に一体的に整合状態であることが望ましい。好適にはその全長に沿って整合状態であることが望ましい。この整合状態により特にコンパクトな構造が達成できる。
【００１０】
少なくとも１つの電力消費具及び／又は電圧供給手段が少なくとも一方、好適には両方のハウジング部に提供されることが望ましい。電力消費具は例えば電気モータ及び／又は少なくとも１つの照明構造である。電力供給手段は１以上の電気線を含むことができ、あるいはハウジング部と一体化されたブスバでもよく、その効果的な長さは、それら少なくとも２つのハウジング部の相対位置によって変化する。この点で電圧供給手段の長さが少なくとも一方のハウジング部の長さを超えて延びていることが望ましい。
【００１１】
少なくとも家具装備具の一部がハウジング内に収容されることが望ましい。この家具装備具は、家具フラップ（扉）、引出しガイド構造部または家具蝶番を作動させる駆動機構の形態でもよい。本発明の家具装備具はこのようなハウジングによって特徴付けられる。
【００１２】
本発明の家具は少なくとも１つの上述装備具を備える。家具に取り付けられた状態のハウジングは家具枠体の奥行きの方向に長さが可変であり、好適には長さ調節式である。本発明の１実施形態では家具枠体に取り付けられたハウジングは家具枠体の奥行きの少なくとも大きな部分で長さの変更が可能であり、好適には家具の後壁にまで延びることができる。このようすれば家具の装備具には外観に悪影響を及ぼすことなく、電気線を配線しないで後壁に隣接させた電力供給装置によって電力が直接的に供給される。
【００１３】
本発明のさらなる詳細並びに利点は添付図面と以下の詳細な説明により明らかとなるであろう。
【図面の簡単な説明】
【００１４】
【図１】図１は家具フラップを動かすための駆動機構を備えた家具の垂直断面を示す斜視図であり、調節機構のハウジングは長さが可変になっている。
【図２】図２は図１で示す家具の斜視図である。
【図３】図３は相互に移動できる２つのハウジング部を備えた家具の側面図である。
【図４ａ】図４ａは相対移動できる２つのハウジング部の前方斜視図である。
【図４ｂ】図４ｂは相対移動できる２つのハウジング部の前方斜視図である。
【図５ａ】図５ａと図４ａと図４ｂで示す２つのハウジング部の後方斜視図である。
【図５ｂ】図５ｂは図４ａと図４ｂで示す２つのハウジング部の後方斜視図である。
【図６ａ】図６ａは相互解除が可能に掛止め可能な２つのハウジング部の前方斜視図である。
【図６ｂ】図６ｂは相互解除が可能に掛止め可能な２つのハウジング部の前方斜視図である。
【図７ａ】図７ａは図６ａと図６ｂで示す２つの掛止め可能なハウジング部の後方斜視図である。
【図７ｂ】図７ｂは図６ａと図６ｂで示す２つの掛止め可能なハウジング部の後方斜視図である。
【発明を実施するための形態】
【００１５】
図１は戸棚である家具１の垂直断面を示す斜視図である。家具１は家具枠体２と、家具枠体に対して可動であるフラップ部３ａと３ｂを備えた家具フラップ（扉）形態の家具部３とを有する。フラップ部は互いに旋回式に連結されている。図示の実施例では家具装備具４はフラップ部３ａと３ｂを移動させる調節機構の形態である。ここで調節アーム５は下方フラップ部３ｂに旋回式に取り付けられている。調節機構形態の装備具４は長形ハウジング６を含む。そこには調節アーム５及び／又は照明装置（図示せず）に作用するように電気駆動装置（ここでは図示せず）が提供されている。電力供給は概略的に図示されている電気線７を介して行われる。図示の実施例の電気線７は家具１の後壁８を通過している。固定されているハウジング部６ａと、それに相対移動可能に取り付けられたハウジング部６ｂとを含んだ調節機構の可変長ハウジング６は本発明の重要要素である。このような構成によって可動ハウジング部６ｂはハウジング６の長軸Ｌに沿って移動でき、好適にはハウジング部６ｂは後壁８にまで延びることができる。よって電気線７はハウジング部６ａにまでハウジング部６ｂに形成されたケーブル通路を通って隠遮状態で導かれる。所望すれば電気線７をフラップ部３ａと３ｂの方向に調節アーム５を介してハウジング６に沿って導くことも可能であり、可動家具部３に取り付けられた電力消費具（例えば照明器具）に電力を供給することができる。
【００１６】
図２は家具枠体２と、２つのフラップ部３ａと３ｂを有した可動家具部３とを備えた家具１を斜視図で示す。図を簡略して明確にするため可動家具部３の一部のみが図示されている。側壁に固定されるハウジング６のハウジング部６ａが示されている。ハウジング６または可動家具部３に関係する電力消費具には電力供給装置９及び電気線７によって電力が供給される。
【００１７】
図３は図１と図２で示す家具１の側面図である。側壁に固定されるハウジング部６ａと、それに対して相対的に移動可能なハウジング部６ｂとが図示されている。家具１に取り付けられた状態のハウジング部６ｂは家具１の後壁８に接して１端が取り付けられており、電気線７は家具枠体２の内部には全く現れない。
【００１８】
図４ａは１実施例によるハウジング６の前方斜視図である。ハウジング６は長軸Ｌに沿って相対移動可能である少なくとも２つのハウジング部６ａと６ｂを有する。これら２つのハウジング部６ａと６ｂは長手方向に一体的整合状態であり、コンパクトな形態となっている。図４ｂは移動可能なハウジング部６ｂの引込状態を示しており、ハウジング部６ｂはハウジング部６ａ内に実質的完全に収納されている。
【００１９】
図５ａと図５ｂは図４ａと図４ｂで示すハウジング部６ａと６ｂの後方斜視図である。図５ａは可動ハウジング部６ｂの延出状態を示す。ハウジング部６ｂは家具枠体に固定されているハウジング部６ａに対して少なくとも１つのガイド装置１０により直線状に移動され、ハウジング部６ｂが傾斜するリスクは大きく低減される。図５ｂはハウジング部６ａに対するハウジング部６ｂの引込位置を示す。ハウジング部６ｂは電気線７を通過させるための切欠部１１を有する。
【００２０】
図６ａは互いに掛止可能な２つのハウジング部６ａと６ｂを備えた本発明の別実施例を示す。掛止めの目的で掛止連結部１２が提供されており、これによってハウジング部６ｂはハウジング部６ａにスナップ留めすることができる。この場合にはハウジング６が家具１の後壁８にまで届くようにハウジング部６ｂの長さを選択することでハウジング部６ｂを異なる長さとすることができる。図６ｂは相互掛止状態にあるハウジング部６ａと６ｂを図示する。ハウジング部６ｂは手で圧力を加えることで簡単に取り外せる。
【００２１】
図７ａと７ｂは図６ａと図６ｂに類似するが後方斜視図である。ハウジング部６ｂは連結可能な複数のモジュール式ハウジング部６ｂの形態で形成することもできる。
【００２２】
本発明は図示した実施例には限定されず、「請求の範囲」で定義された変形及び技術的均等物を含むことができる。本明細書で使用する位置的表現、例えば上下方向、横方向、等々は図示の形態に合わせて解説したものであり、適宜変更できるものである。本発明は家具フラップを動作させる調節機構の実施例により解説されているが、本発明のハウジングは引出ガイド及び家具蝶番にも利用できることは理解されるであろう。
【図１】
0005529133.tif 000002
【図２】
0005529133.tif 000003
【図３】
0005529133.tif 000004
【図４ａ】
0005529133.tif 000005
【図４ｂ】
0005529133.tif 000006
【図５ａ】
0005529133.tif 000007
【図５ｂ】
0005529133.tif 000008
【図６ａ】
0005529133.tif 000009
【図６ｂ】
0005529133.tif 000010
【図７ａ】
0005529133.tif 000011
【図７ｂ】
0005529133.tif 000012